(57)【要約】【課題】飲酒運転の撲滅に貢献し得るカード決済システムを提案する。【解決手段】カード決済端末は、外部操作に応じて、飲食店における代金でなる第１の代金と、代行運転業者に対する代金でなる第２の代金とに対するカード決済を決済手段に依頼し、決済手段は、カード決済端末からの依頼に応じて、第１及び第２の代金の合計金額に対するカード決済の承認を対応する信販会社に依頼すると共に、第１の代金のカード決済に関するログ情報でなる第１のログ情報と、第２の代金のカード決済に関するログ情報でなる第２のログ情報とを分けて記憶するようにした。【選択図】図３
2010055277.tif 000002
【特許請求の範囲】
【請求項１】
飲食店に設置されたカード決済端末によりクレジットカードから読み出され又は外部操作により前記カード決済端末に入力されたカード情報に基づいてカード決済を行うカード決済システムにおいて、
前記カード決済端末からの要求に応じて、当該カード決済端末から送信される前記カード情報に基づく所定のカード決済処理を実行する決済手段
を備え、
前記カード決済端末は、
外部操作に応じて、前記飲食店における代金でなる第１の代金と、代行運転業者に対する代金でなる第２の代金とに対するカード決済を前記決済手段に依頼し、
前記決済手段は、
前記カード決済端末からの依頼に応じて、前記第１及び第２の代金の合計金額に対するカード決済の承認を対応する信販会社に依頼すると共に、前記第１の代金のカード決済に関するログ情報でなる第１のログ情報と、第２の代金のカード決済に関するログ情報でなる第２のログ情報とを分けて記憶する
ことを特徴とするカード決済システム。
【請求項２】
前記決済手段は、
前記第１及び第２のログ情報に基づいて、前記飲食店の口座に前記第１の代金を振り込み、前記代行運転業者の口座に前記第２の代金を振り込む
ことを特徴とする請求項１に記載のカード決済システム。
【請求項３】
前記決済手段は、
前記カード決済端末からの依頼に応じて、当該カード決済端末が設置された前記飲食店の連絡先を対応する前記代行運転業者に通知する
ことを特徴とする請求項１に記載のカード決済システム。
【発明の詳細な説明】
【技術分野】
【０００１】
本発明は、カード決済システムに関し、例えば代行運転サービスに対する代金のカード決済を行うカード決済システムに適用して好適なものである。
【背景技術】
【０００２】
近年、飲酒運転に起因する凄惨な事故が頻発しており、これに伴い飲酒運転に対する罰則が強化されている。このような背景のもと、近年では、顧客の車両の運転を代行し、顧客及び車両を目的地まで移動させる、いわゆる代行運転サービスが広く普及してきている。
【０００３】
かかる代行運転サービスでは、通常、車両の移動距離に応じた代金を請求する料金体系がとられており、顧客は、目的地に到着した後に代行運転業者が請求する代金を支払うことになる（例えば特許文献１参照）。
【特許文献１】特開２００４−６２８４４号公報
【発明の開示】
【発明が解決しようとする課題】
【０００４】
ところで、かかる代行運転業者の多くは小規模で営業している個人経営主であり、このため信販会社が提供するクレジットカードによる代金支払いサービスでなるクレジットカードサービスの加盟店となるための審査が通り難い。従って、通常、代行運転サービスを利用するに際しては現金で代金を支払わなければならず、手持ちのお金がない又は少ないときなどには、かかる代行運転サービスを利用できない問題があった。このことは、飲酒運転を誘発することにもなりかねない問題がある。
【０００５】
本発明は以上の点を考慮してなされたもので、飲酒運転の撲滅に貢献し得るカード決済システムを提案しようとするものである。
【課題を解決するための手段】
【０００６】
かかる課題を解決するため本発明においては、飲食店に設置されたカード決済端末によりクレジットカードから読み出され又は外部操作により前記カード決済端末に入力されたカード情報に基づいてカード決済を行うカード決済システムにおいて、前記カード決済端末からの要求に応じて、当該カード決済端末から送信される前記カード情報に基づく所定のカード決済処理を実行する決済手段を備え、前記カード決済端末は、外部操作に応じて、前記飲食店における代金でなる第１の代金と、代行運転業者に対する代金でなる第２の代金とに対するカード決済を前記決済手段に依頼し、前記決済手段は、前記カード決済端末からの依頼に応じて、前記第１及び第２の代金の合計金額に対するカード決済の承認を対応する信販会社に依頼すると共に、前記第１の代金のカード決済に関するログ情報でなる第１のログ情報と、第２の代金のカード決済に関するログ情報でなる第２のログ情報とを分けて記憶することを特徴とする。
【０００７】
この結果、このカード決済システムでは、代行運転業者がクレジットカードサービスの加盟店ではない場合にも当該代行運転業者が提供する代行運転サービスの代金の支払いをクレジットカードで行うことができる。
【発明の効果】
【０００８】
本発明によれば、手持ちのお金がない又は少ないときなどにも代行運転サービスを利用することができるため、代行運転サービスが現金払いであることに起因する飲酒運転の誘発を有効に防止することができ、飲酒運転の撲滅に貢献することができる。
【発明を実施するための最良の形態】
【０００９】
以下図面について、本発明の一実施の形態を詳述する。
【００１０】
（１）本実施の形態によるカード決済システムの構成
図１において、１は全体として本実施の形態によるカード決済システムし、各飲食店２にそれぞれ設置されたカード決済端末３と、カード決済業者４の決済センタに設置された決済サーバ５と、クレジットカードサービスを提供する各信販会社６がそれぞれ設置する承認サーバ７と、銀行や郵便局などの各金融機関８がそれぞれ設置する口座管理サーバ９となどから構成されている。
【００１１】
カード決済端末３は、可搬型のＰＯＳ（Point Of Sale）装置であり、磁気ストライプ型の磁気カードや接触型又は非接触型のＩＣ（Integrated Circuit）カードで構成されるクレジットカードからカード番号及び有効期限等のカード情報を読み出すカードリーダ機能を備える。このカード決済端末３は、ＬＡＮ（Local Area Network）又はインターネットなどからなる第１のネットワーク１０に接続されており、クレジットカードから読み出し又は外部操作により入力された各種カード情報や他の情報をこの第１のネットワーク１０を経由して決済サーバ５との間でやり取りし得るようになされている。
【００１２】
決済サーバ５は、図２に示すように、ＣＰＵ（Central Processing Unit）１１、各種制御プログラムが格納されたメモリ１２及び各種アプリケーションソフトウェア等が格納されたハードディスク装置１３などを備えて構成される。そしてＣＰＵ１１は、メモリ１２に格納された制御プログラムやハードディスク装置１３に格納されたアプリケーションソフトウェアに基づいて必要な制御処理を実行するようになされ、これにより決済サーバ５全体として各種の処理を実行し得るようになされている。
【００１３】
具体的には、決済サーバ５は、各信販会社６がそれぞれ設置した承認サーバ７や、金融機関８がそれぞれ設置した口座管理サーバ９と専用回線を通じて接続されており、これらの専用回線を通じて、対応する信販会社６の承認サーバ７にカード決済の承認を依頼したり、対応する金融機関８の口座管理サーバ９に所望の口座への振込みを依頼することができる。
【００１４】
また決済サーバ５は、電話回線網１４及び携帯電話基地局１５などからなる第２のネットワーク１６を介して代行運転業者１７の携帯電話１８やパーソナルコンピュータ１９と接続されており、必要に応じてこれら携帯電話１８又はパーソナルコンピュータ１９に電子メールを送信することができる。なお、以下において、代行運転業者１７は、いずれの信販会社６が提供するクレジットカードサービスの加盟店ではないものとする。
【００１５】
（２）決済システムにおける代行運転サービス代金のカード決済方法
次に、かかる決済システム１における代行運転サービス代金のカード決済方法について説明する。本実施の形態による決済システム１では、図３に示すように、顧客が飲食店２に代行運転サービスの提供を依頼した場合、代行運転業者１７による代行運転サービスの代金を飲食店２の立替費用としてカード決済額に計上し、飲食代と代行運転サービス代金とをまとめてカード決済を行う。
【００１６】
また本決済システム１では、かかるカード決済額をカード決済業者４において飲食店２における飲食代と、代行運転業者１７による代行運転サービス代金とに分けて管理し、信販会社６からカード決済業者４へのカード決済代金の入金があったときに、飲食代を飲食店２に支払い、代行運転サービス代金を代行運転業者１７に支払う。
【００１７】
そのための手段として、図２に示すように、カード決済業者４が設置する決済サーバ５のハードディスク装置１３には、飲食店管理テーブル２０、代行運転業者管理データベース２１、飲食店決済ログデータベース２２及び代行運転業者決済ログデータベース２３が格納されている。
【００１８】
飲食店管理テーブル２０は、カード決済業者４が提供するカード決済サービスの加盟店であってカード決済端末３が設置された飲食店２を管理するためのテーブルであり、図４に示すように、「カード決済端末ＩＤ」欄２０Ａ、「連絡先」欄２０Ｂ及び「代金支払先」欄２０Ｃを備える。
【００１９】
このうち「カード決済端末ＩＤ」欄２０Ａには、対応する飲食店２に設置されたカード決済端末３に付与されたそのカード決済端末３に固有のＩＤ（識別子）がそれぞれ格納され、「連絡先」欄２０Ｂには、その飲食店２の電話番号が格納される。また「代金支払い先」欄２０Ｃは、「金融機関名」欄２０Ｄ及び「口座番号」欄２０Ｅから構成され、これら「金融機関名」欄２０Ｄ及び「口座番号」欄２０Ｅにそれぞれ対応する飲食店２の口座が開設された金融機関８の名称及びその口座の口座番号がそれぞれ格納される。
【００２０】
また代行運転業者管理テーブル２１は、カード決済業者に申請した代行運転業者１７を管理するためのテーブルであり、図５に示すように、「代行運転業者ＩＤ」欄２１Ａ、「連絡先」欄２１Ｂ及び「代金支払い先」欄２１Ｃを備える。
【００２１】
そして「代行運転業者ＩＤ」欄２１Ａには、対応する代行運転業者１７に付与された当該代行運転業者１７に固有のＩＤがそれぞれ格納され、「連絡先」欄２１Ｂには、その代行運転業者１７の携帯電話１８又はパーソナルコンピュータ１９の電子メールアドレスが格納される。また「代金支払い先」欄２１Ｃは、「金融機関名」欄２１Ｄ及び「口座番号」欄２１Ｅから構成され、これら「金融機関名」欄２１Ｄ及び「口座番号」欄２１Ｅにそれぞれ対応する代行運転業者１７の口座が開設された金融機関８の名称及びその口座の口座番号がそれぞれ格納される。
【００２２】
一方、飲食店決済ログデータベース２２は、各飲食店２のカード決済端末３を用いて行なわれたカード決済のうち、その飲食店２が提供したサービスに対する代金（飲食代）について行われたカード決済に関するログ情報（以下、これを飲食店分ログ情報と呼ぶ）を蓄積及び管理するためのデータベースである。
【００２３】
図６に示すように、このような飲食店分ログ情報２２Ａには、そのカード決済を行ったカード決済端末３のＩＤ（「カード決済端末ＩＤ」）と、そのカード決済を行ったクレジットカードのカード番号（「カード番号」）と、そのクレジットカードの有効期限（「有効期限」）と、そのカード決済に対して信販会社６の承認サーバ７が発行した承認番号と、そのカード決済が売り上げ、取り消し及び返品等のいずれであったかを意味する電文区分（「電文区分」）と、その飲食店２における飲食代の金額（「金額」）とが含まれる。
【００２４】
また代行運転業者決済ログデータベース２３は、各飲食店２のカード決済端末３を用いて行なわれたカード決済のうち、その飲食店２における飲食代とまとめて行われた代行運転サービスに関する各カード決済のログ情報（以下、これを代行運転業者分ログ情報と呼ぶ）を蓄積及び管理するためのデータベースである。
【００２５】
図７に示すように、このような代行運転業者分ログ情報に２３Ｂは、そのときの飲食代についての飲食店分ログ情報２２Ａと同じ情報に加えて、代行運転サービスを提供した代行運転業者１７の代行運転業者ＩＤが含まれる。
【００２６】
図８は、飲食店２において顧客が代行運転サービスを依頼した場合の一連の処理の流れを示している。
【００２７】
本実施の形態の場合、各代行運転業者１７は、カード決済業者４が提供するカード決済サービスに加盟する各飲食店２に自己に付与された代行運転業者ＩＤを記録した磁気カード又はＩＣカードからなる代行運転サービス依頼カード３０（図１）を配布する。
【００２８】
飲食店２側においては、顧客から代行運転サービスの依頼があった場合、その顧客に対して代行運転サービスに対する希望の料金体系や目的地などを尋ね、その要求に最も適合する代行運転業者１７を選択する。
【００２９】
そして飲食店２側では、選択した代行運転業者１７の代行運転サービス依頼カード３０に記録された代行運転業者ＩＤをカード決済端末３に読み取らせる。かくしてカード決済端末３は、このとき代行運転サービス依頼カード３０から読み取った代行運転業者ＩＤを代行運転サービス依頼要求と共に決済サーバ５に送信する（ＳＰ１）。
【００３０】
決済サーバ５は、かかる代行運転サービス依頼要求を受信すると、この代行運転サービスを送信してきたカード決済端末３が設置された飲食店２の連絡先（電話番号）を飲食店管理テーブル２０（図２）上で検索する。また決済サーバ５は、このとき受信した代行運転業者ＩＤに基づいて、対応する代行運転業者１７の連絡先（電子メールアドレス）を代行運転業者管理テーブル２１上で検索する（ＳＰ２）。
【００３１】
そして決済サーバは、ステップＳＰにおける検索により連絡先を検出した代行運転業者に対して、ステップＳＰにおける検索により検出した飲食店の連絡先を連絡依頼と共に電子メールで通知する（ＳＰ３）。
【００３２】
かくしてこの電子メールを受信した代行運転業者１７は、当該電子メールによって通知された飲食店２の電話番号に電話をかけ、依頼者である顧客とそのときの代行運転サービス代金を交渉により決定する（ＳＰ４）。なお、このような代行運転サービス代金の決定に際しては、代行運転業者１７側において、一律の代金を顧客に提示するようにしても、また出発地及び目的地を顧客から尋ね、これら出発地及び目的地間の距離をナビゲーションシステムやパーソナルコンピュータ上の地図で検索し、その距離に応じた料金を顧客に提示するようにしても良い。
【００３３】
かかる交渉が成立した場合、顧客はそのとき決定した代行運転サービスの料金を飲食店２側に伝える。そして飲食店２側は、その飲食店２における飲食サービスに対する代金を飲食代とし、またそのとき顧客及び代行運転業者１７間で決定した代行運転サービス料金を立替費用としてカード決済端末３に入力する。この結果カード決済端末３には、図９のように飲食代、立替費用及び合計金額が表示される。
【００３４】
そしてこのカード決済端末３に表示された飲食代、代行運転サービス料金としての立替費用及び合計金額について顧客が了承した場合、飲食店２側は、その顧客のクレジットカードからカード番号及び有効期限などの必要なカード情報をそのカード決済端末３に読み取らせ又は当該カード情報を店員が手入力でカード決済端末３に入力し、かかる飲食代、立替費用及び合計金額に対するカード決済処理を実行するよう当該カード決済端末３を操作する。
【００３５】
このときカード決済端末３は、顧客のクレジットカードから読み取り又は入力されたカード情報と、自己のカード決済端末ＩＤと、飲食代、立替費用及び合計金額とをカード決済情報としてカード決済依頼と共に決済サーバ５に送信する（ＳＰ５）。
【００３６】
そしてカード決済依頼を受信した決済サーバ５は、そのカード決済依頼と共に送信されてきたカード情報に含まれるカード番号に基づいてそのクレジットカードを発行した信販会社６を特定し、その信販会社６の承認サーバ７に対して、当該クレジットカードのカード番号及び有効期限と、カード決済しようとする合計金額となどの情報と共に承認依頼を送信する（ＳＰ７）。
【００３７】
また決済サーバ５は、かかる承認依頼に対する応答として、かかる合計金額のカード決済を承認する旨の通知がそのときの承認番号と共に承認サーバ７から与えられると（ＳＰ８）、その旨を承認番号と共に対応するカード決済端末３に通知する（ＳＰ９）。この結果、かかるカード決済端末３からその飲食店２における飲食代及び代行運転サービス代金としての立替費用とを合計した合計金額のレシートが発行される。そして、顧客がこのレシートにサインをすることによりカード決済が完了する。
【００３８】
また決済サーバ５は、これと併せてカード決済が完了した旨を対応する代行運転業者１７に電子メールにて通知する（ＳＰ１０）。かくして、かかる電子メールを受信した代行運転業者１７は、その顧客がいる飲食店２に行き、当該顧客に対してステップＳＰ４の交渉に基づく代行運転サービスを提供する。
【００３９】
そして決済サーバ５は、この後、かかるカード決済額のうちの飲食代に対する部分のログ情報を飲食店決済ログデータベース２２に登録すると共に、当該カード決済額のうちの代行運転サービスに対する部分のログ情報を代行運転業者決済ログデータベース２３に登録する（ＳＰ１１）。
【００４０】
そして決済サーバ５は、この後、信販会社６からカード決済業者４の口座に上述のカード決済のカード決済額分の入金があると（ＳＰ１２）、かかる飲食店２が口座を開設している金融機関８の金融機関名と、その口座の口座番号とを飲食店管理テーブル２０上で検索する。そして決済サーバ５は、この検索結果と、飲食店決済ログデータベース２２に登録された対応するログ情報２２Ａとに基づいて、カード決済業者４の口座が開設された金融機関の口座管理サーバ９に対して、当該口座からかかる飲食店２の口座に上述の飲食代を振り込むよう依頼する。また決済サーバ５は、かかる代行運転業者１７が口座を開設している金融機関８の金融機関名と、その口座の口座番号とを代行運転業者管理テーブル２１上で検索する。そして決済サーバ５は、この検索結果と、代行運転業者決済ログデータベース２３に登録された対応するログ情報２３Ａとに基づいて、カード決済業者４の口座が開設された金融機関８の口座管理サーバ９に対して、当該口座からかかる代行運転業者１７の口座に上述の代行運転サービス代金を振り込むよう依頼する。（ＳＰ１３）。
【００４１】
（３）本実施の形態の効果
以上のように本実施の形態によるカード決済システム１では、代行運転業者１７による代行運転サービスの代金を飲食店２の立替費用として飲食代と併せてカード決済を行うと共に、カード決済業者４において飲食代と、代行運転サービス代金とを分けて管理し、信販会社６からカード決済業者４へのカード決済代金の入金があったときに、かかるカード決済代金のうちの飲食代を飲食店２に支払い、代行運転サービス代金を代行運転業者１７に支払うため、代行運転業者１７がいずれの信販会社６が提供するクレジットカードサービスの加盟店となっていない場合においても顧客が代行運転サービスの代金をクレジットで支払うことができる。かくするにつき、顧客が代行運転サービスの代金を支払うだけの現金を持ち合わせていないときでも、代行運転サービスを利用することができるため、飲酒運転の撲滅に貢献することができる。
【００４２】
（４）他の実施の形態
なお上述の実施の形態においては、本発明を図１のように構成されたカード決済システム１に適用するようにした場合について述べたが、本発明はこれに限らず、この他種々の構成のカード決済システムに広く適用することができる。
【００４３】
また上述の実施の形態においては、信販会社６におけるカード決済の承認を承認サーバ７が行なうようにした場合について述べたが、本発明はこれに限らず、信販会社６においてかかる承認を人間が行なうようにしても良い。
【００４４】
さらに上述の実施の形態においては、信販会社６からカード決済業者４の口座にカード決済代金が支払われた後に、カード決済業者４の決済サーバ５が飲食店２や代行運転業者１７の口座に飲食代や代行運転サービス代金を振り込む処理を実行するようにした場合について述べたが、本発明はこれに限らず、かかり振込み処理についてはカード決済業者４が人手を介して行なうようにしても良い。
【００４５】
さらに上述の実施の形態においては、代行運転業者１７の選択を飲食店２側において行なうようにした場合について述べたが、本発明はこれに限らず、カード決済業者４側、具体的には決済サーバ５において行なうようにしても良い。
【産業上の利用可能性】
【００４６】
本発明はカード決済端末によりクレジットカードから読み出され又は外部操作により前記カード決済端末に入力されたカード情報に基づいてカード決済を行う種々の構成のカード決済システムに広く適用することができる。
【図面の簡単な説明】
【００４７】
【図１】本実施の形態によるカード決済システムの全体構成を示すブロック図である。
【図２】決済サーバの概略構成を示すブロック図である。
【図３】本実施の形態による代行運転サービスに対するカード決済の概略説明に供する概念図である。
【図４】飲食店管理テーブルの説明に供する概念図である。
【図５】代行運転業者管理テーブルの説明に供する概念図である。
【図６】飲食店決済ログデータベースに格納されるログ情報の説明に供する概念図である。
【図７】代行運転業者決済ログデータベースに格納されるログ情報の説明に供する概念図である。
【図８】カード決済システムにおける代行運転サービス代金のカード決済の説明に供する概念図である。
【図９】カード決済端末の表示画面の一例を略線的に示す略線図である。
【符号の説明】
【００４８】
１……カード決済システム、２……飲食店、３……カード決済端末、４……カード決済業者、５……決済サーバ、６……信販会社、７……承認サーバ、８……金融機関、９……口座管理サーバ、１７……代行運転業者、１８……携帯電話器、１９……パーソナルコンピュータ、２０……飲食店管理テーブル、２１……代行運転業者管理テーブル、２２……飲食店決済ログデータベース、２２Ａ，２３Ａ……ログ情報、２３……代行運転業者決済ログデータベース。
【図１】
2010055277.tif 000003
【図２】
2010055277.tif 000004
【図３】
2010055277.tif 000005
【図４】
2010055277.tif 000006
【図５】
2010055277.tif 000007
【図６】
2010055277.tif 000008
【図７】
2010055277.tif 000009
【図８】
2010055277.tif 000010
【図９】
2010055277.tif 000011